【事件の表示】
　特許第５７３２０９９号発明「美顔器」の特許異議申立事件について、次のとおり決定する。
【結　論】
　特許第５７３２０９９号の特許請求の範囲を訂正請求書に添付された訂正特許請求の範囲のとおり、訂正後の請求項〔１−８〕について訂正することを認める。
　特許第５７３２０９９号の請求項１ないし８に係る特許を維持する。
【理　由】
第１　手続の経緯
　特許第５７３２０９９号の請求項１〜８に係る特許についての出願は、平成２０年８月３１日（以下「原出願日」という。）に出願した特願２００８−２５５１３７号の一部を、平成２３年６月２２日に新たな特許出願とした特願２０１１−１３８９８０号の一部を、さらに平成２５年４月８日に新たな特許出願としたとしたものであって、平成２７年４月１７日にその特許権の設定登録がされ、その後、その特許について、特許異議申立人古川康彦により特許異議の申立てがされ、平成２８年２月５日付けで通知された取消理由に対し、平成２８年４月１１日付けで特許権者より意見書の提出及び訂正の請求（以下「本件訂正請求」という。）がされたものであって、さらにその後、平成２８年６月１５日付けで特許異議申立人より意見書の提出がされたものである。
第２　訂正の適否についての判断
１　訂正の内容
　本件訂正請求による訂正の内容は以下の訂正事項１〜９のとおりである。
（訂正事項１）
　願書に添付した特許請求の範囲の請求項１の「調整用摘子（１７）と」を「調整用摘子（１７）とを含み」と訂正する。
（訂正事項２）
　願書に添付した特許請求の範囲の請求項１の「（ｆ）」を「（ｆ）上側筒体（１）は、」と訂正する。
（訂正事項３）
　願書に添付した特許請求の範囲の請求項１の「前記炭酸ガス供給用ボンベ」を「（ｆ１）前記炭酸ガス供給用ボンベ」と訂正する。
（訂正事項４）
　願書に添付した特許請求の範囲の請求項１の「臨む」を「臨んで、」と訂正する。
（訂正事項５）
　願書に添付した特許請求の範囲の請求項１の「弁杆（１５）と」を「軸線方向に変位する弁杆（１５）と」と訂正する。
（訂正事項６）
　願書に添付した特許請求の範囲の請求項１の「（ｇ）弁杆（１５）に」を「（ｆ２）弁杆（１５）に、」と訂正する。
（訂正事項７）
　願書に添付した特許請求の範囲の請求項１の「バネ力」を「弁杆（１５）の前記軸線方向にバネ力」と訂正する。
（訂正事項８）
　願書に添付した特許請求の範囲の請求項１の「（ｈ）」を「（ｇ）」と訂正する。
（訂正事項９）
　願書に添付した特許請求の範囲の請求項１の「弁杆（１５）を変位」を「弁杆（１５）を、弁杆（１５）の前記軸線方向に変位」と訂正する。
２　一群の請求項について
　訂正事項１〜９に係る訂正前の請求項１〜８に関し、請求項２〜８は請求項１を引用するものである。
　よって、訂正前の請求項１〜８に対応する訂正後の請求項１〜８は、特許法第１２０条の５第４項に規定する「一の請求項の記載を他の請求項が引用する関係その他経済産業省令で定める関係を有する一群の請求項」に該当する。
３　訂正の目的
　訂正事項２に係る訂正は、弁杆（１５）及びバネ（１６）を含む主体を、訂正前の「美顔器」から「上側筒体（１）」に限定するものであるから、特許請求の範囲の減縮を目的とするものである。
　訂正事項５に係る訂正は、弁杆（１５）が「変位する」と限定すると共に、その変位の方向について「軸線方向に」と限定するものであり、訂正事項９に係る訂正も、弁杆（１５）が変位する方向について「弁杆（１５）の前記軸線方向に」と限定するものであるから、いずれも特許請求の範囲の減縮を目的とするものである。
　訂正事項７に係る訂正は、ばね力の方向を「弁杆（１５）の前記軸線方向に」と限定するものであるから、特許請求の範囲の減縮を目的とするものである。
　訂正事項１、３、４、６、８に係る訂正は、訂正事項２、５、７、９に係る上記の訂正に伴い、請求項１の表現ぶりを整えるものであるから、明瞭でない記載の釈明を目的とする訂正である。
４　新規事項の存否、実質的拡張・変更の有無
　願書に添付した明細書、特許請求の範囲又は図面の記載内容からみて、訂正事項１から９に係る訂正は、いずれも願書に添付した明細書、特許請求の範囲又は図面の記載された事項の範囲内でしたものであり、また、実質上特許請求の範囲を拡張し、又は変更するものでもない。
５　むすび
　以上のとおりであるから、本件訂正請求による訂正は、特許法第１２０条の５第２項第１号及び第３号に掲げる事項を目的とするものであり、かつ、同条第４項、及び、同条第９項において準用する同法第１２６条第５項から第６項までの規定に適合するので、訂正後の請求項〔１−８〕について訂正を認める。
第３　特許異議の申立てについて
１　本件発明
　本件訂正請求により訂正された請求項１〜８に係る発明（以下「本件発明１」〜「本件発明８」という。）は、訂正請求書に添付された訂正特許請求の範囲の請求項１〜８に記載された事項により特定される次のとおりのものである。
「【請求項１】
（ａ）炭酸ガスを導く可撓性ホース（Ｐ）と、
（ｂ）スプレー本体（Ｓ）であって、
　　（ｂ１）可撓性ホース（Ｐ）の一端部に接続され、
　　（ｂ２）噴出ノズル（３１）と、
　　（ｂ３）所定量の化粧水を収納するカップ（２９）と、
　　（ｂ４）スプレー本体（Ｓ）を保持した手先（Ｈ）で操作される操作部（３０）であって、この操作によって、可撓性ホース（Ｐ）からの炭酸ガスを開閉する操作部（３０）とを備え、
　　（ｂ５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
（ｃ）炭酸ガス供給用ボンベ（Ｂ）と、
（ｄ）着脱自在に嵌合する上側筒体（１）および下側筒体（２）からなり、取替え可能に炭酸ガス供給用ボンベ（Ｂ）を隠蔽して収納する直立型ボンベ収納ボックス（Ｘ）と、
（ｅ）前記ボンベ収納ボックス（Ｘ）の外方から回転操作可能である調整用摘子（１７）とを含み、
（ｆ）上側筒体（１）は、
　　（ｆ１）前記炭酸ガス供給用ボンベ（Ｂ）からの炭酸ガス流通路に臨んで、軸線方向に変位する弁杆（１５）と、
　　（ｆ２）弁杆（１５）に、弁杆（１５）の前記軸線方向にバネ力を与えるバネ（１６）とを含み、
（ｇ）調整用摘子（１７）の操作によって、バネ（１６）のバネ力が作用している弁杆（１５）を、弁杆（１５）の前記軸線方向に変位させて、炭酸ガス供給用ボンベ（Ｂ）からの噴出ガスを導くガス流通路を介する炭酸ガスの噴出調整をし、
可撓性ホース（Ｐ）の他端部に、この噴出調整された炭酸ガスが供給されることを特徴とする美顔器。
【請求項２】
　調整用摘子（１７）は、ボンベ収納ボックス（Ｘ）に設けられることを特徴とする請求項１記載の美顔器。
【請求項３】
　調整用摘子（１７）は、
一方向および反対方向に水平回転可能な円形であり、
ボンベ収納ボックス（Ｘ）の上方で操作可能であることを特徴とする請求項２記載の美顔器。
【請求項４】
　ボンベ収納ボックス（Ｘ）は、直立型であり、その軸直角断面が円形であり、
円形調整用摘子（１７）の外径は、ボンベ収納ボックス（Ｘ）の上部面（１ｂ）の外径とほぼ等しいことを特徴とする請求項３記載の美顔器。
【請求項５】
　ボンベ収納ボックス（Ｘ）の上部面（１ｂ）よりも下方で、かつ炭酸ガス供給用ボンベ（Ｂ）よりも上方で、ボンベ収納ボックス（Ｘ）内で、調整用摘子（１７）の操作による炭酸ガスの噴出調整をし、
ボンベ収納ボックス（Ｘ）の上部面（１ｂ）よりも下方で、かつ炭酸ガス供給用ボンベ（Ｂ）よりも上方で、前記噴出調整された炭酸ガスは、ボンベ収納ボックス（Ｘ）外へ、可撓性ホース（Ｐ）の前記他端部から供給されることを特徴とする請求項３または４記載の美顔器。
【請求項６】
　調整用摘子（１７）の操作によって、炭酸ガス供給用ボンベ（Ｂ）からの前記ガス流通路を介する炭酸ガスの噴出、停止もすることを特徴とする請求項１〜５のうちの１つに記載の美顔器。
【請求項７】
　操作部（３０）は、レバー形式であり、
スプレー本体（Ｓ）は、操作部（３０）の引き付け操作によって開いている状態とすることを特徴とする請求項１〜６のうちの１つに記載の美顔器。
【請求項８】
　操作部（３０）は、押ボタン形式であり、
スプレー本体（Ｓ）は、操作部（３０）の操作によって開いている状態とすることを特徴とする請求項１〜６のうちの１つに記載の美顔器。」
２　取消理由の概要
　訂正前の請求項１〜８に係る発明についての特許に対し、平成２８年２月５日付けで特許権者に通知した取消理由は、概ね次の理由１〜３とおりである。
（１）甲号証
甲第１号証：登録実用新案第３１３６４６５号公報
甲第２号証：特開昭６３−２４３６２０号公報
甲第３号証：特開昭６４−３３４１０号公報
甲第４号証：登録実用新案第３１３６３５６号公報
甲第５号証：特開平１１−２６２７００号公報
（２）理由１
　請求項１〜３、５〜７に係る発明は、原出願日前日本国内又は外国において頒布された刊行物に記載された発明又は電気通信回線を通じて公衆に利用可能となった発明である、甲第１号証及び甲第２号証に記載された発明に基いて、請求項４に係る発明は、原出願日前日本国内又は外国において頒布された刊行物に記載された発明又は電気通信回線を通じて公衆に利用可能となった発明である、甲第１号証、甲第２号証及び甲第４号証に記載された発明に基いて、請求項８に係る発明は、原出願日前日本国内又は外国において頒布された刊行物に記載された発明又は電気通信回線を通じて公衆に利用可能となった発明である、甲第１号証、甲第２号証及び甲第５号証に記載された発明に基いて、原出願日前にその発明の属する技術の分野における通常の知識を有する者が容易に発明をすることができたものであるから、その特許は、特許法第２９条第２項の規定に違反してなされたものであって、同法第１１３条第２号に該当する。
（３）理由２
　請求項１〜３、５〜７に係る発明は、原出願日前日本国内又は外国において頒布された刊行物に記載された発明又は電気通信回線を通じて公衆に利用可能となった発明である、甲第１号証及び甲第３号証に記載された発明に基いて、請求項４に係る発明は、原出願日前日本国内又は外国において頒布された刊行物に記載された発明又は電気通信回線を通じて公衆に利用可能となった発明である、甲第１号証、甲第３号証及び甲第４号証に記載された発明に基いて、請求項８に係る発明は、原出願日前日本国内又は外国において頒布された刊行物に記載された発明又は電気通信回線を通じて公衆に利用可能となった発明である、甲第１号証、甲第３号証及び甲第５号証に記載された発明に基いて、原出願日前にその発明の属する技術の分野における通常の知識を有する者が容易に発明をすることができたものであるから、その特許は、特許法第２９条第２項の規定に違反してなされたものであって、同法第１１３条第２号に該当する。
（４）理由３
　本件特許の願書に添付した特許請求の範囲の記載は、特許法第３６条第６項第２号に規定する要件を満たしていないので、請求項１〜８に係る発明についての特許は、同要件を満たしていない出願に対してなされたものであって、同法第１１３条第４号に該当する。
３　甲号証の記載
（１）甲第１号証
　甲第１号証の図２に示される、炭酸ガス供給用ボンベＢの下端部を収納し支持する手段を「ボンベ支持筒」と称すれば、甲第１号証には、次の発明（以下「甲１発明」という。）が記載されている。
「炭酸ガスを導く可視性のガス供給用パイプ９と、
　スプレー本体１であって、
　　　可撓性ガス供給用パイプ９の一端部に接続され、
　　　噴出ノズル８と、
　　　所定量の化粧水を収納する化粧水収納カップ５と、
　　　スプレー本体１を保持した手先Ｈで引き操作により開いている状態とする操作レバー１２であって、この操作によって、可撓性ガス供給用パイプ９からの炭酸ガスを開閉し、
　　　操作レバー１２の操作によって開いている状態で、可撓性ガス供給用パイプ９から導かれた炭酸ガスを噴出ノズル８から噴出させて化粧水収納カップ５内の化粧水とともに、炭酸混合化粧水を霧状に噴射するスプレー本体１と、 
　炭酸ガス供給用ボンベＢと 
　直立型のボンベ支持筒からなり、炭酸ガス供給用ボンベＢの下端部を収納するボンベ支持筒と、 
　スプレー本体１に設けられ、スプレー本体１の外後方から一方向および反対方向に垂直回転可能な円形の噴出調整用摘子１６と、 
　炭酸ガス供給用ボンベＢからの導管４の内孔４ａの端部４ｂに臨む噴出調整用摘子１６のネジ部分と、
　噴出調整用摘子１６の操作によって、噴出調整用摘子１６のネジ部分を変位させて、炭酸ガス供給用ボンベＢからの噴出ガスを導く導管４の内孔４ａの端部４ｂを介する炭酸ガスの噴出調整をし、スプレー本体１の導管４にこの噴出調整された炭酸ガスが供給される美顔器。」
（２）甲第２号証
　甲第２号証には、次の発明（以下「甲２発明」という。）が記載されている。
「着脱自在に嵌合する上側の収納ケース１および下側の蓋体１ｄからなり、取替え可能にガスボンベ４を隠蔽して収納する容器１、１ｄと、
　容器１、１ｄの外方から回転操作可能である調圧ダイヤル２ｒと、
　燃性ガスボンベ４からの一次側流路２ｉ及び二次側流路２ｔに臨む異径弁体２ｃと、
　異径弁体２ｃにバネカを与える弁ばね２ｍとを含み、
　調圧ダイヤル２ｒの操作によって、調圧機構２において弁ばね２ｍのバネカが作用している異径弁体２ｃを変位させて、ガスボンベ４からの噴出ガスを導く一次側流路２ｉ及び二次側流路２ｔを介するガスの噴出調整をし、管６の他端部に、この噴出調整されたガスが供給される、
　比較的微細な火炎を必要とする用途に好適な携帯用トーチ。」
（３）甲第３号証
　甲第３号証には、次の発明（以下「甲３発明」という。）が記載されている。
「着脱自在に嵌合する収納ケース２５および底ケース２６からなり、取替え可能にガスボンベ３Ｑを隠蔽して収納するトーチ本体２１と、
　トーチ本体２１の外方から回転操作可能である調圧ダイヤル３５と、
　燃性ガスボンベ３０からの一次側流路４７ａ及び流体室５４に臨む異径弁体４５と、
　異径弁体４５にバネカを与える弁ばね５０とを含み、
　調圧ダイヤル３５の操作によって、調圧機構４１において弁ばね５０のバネカが作用している異径弁体４５を変位させて、燃性ガスボンベ３０からの噴出ガスを導く一次側流路４７ａ及び流体室５４を介するガスの噴出調整をし、管２３の他端部に、この噴出調整されたガスが供給される、
　比較的微細な火炎を必要とする用途に使用される携帯用トーチ。」
４　当審の判断（理由１、２について）
４−１　本件発明１について
（１）　対比
　本件発明１と甲１発明とを対比すると、両者の一致点及び相違点は次のとおりである。
＜一致点＞
「炭酸ガスを導く可撓性ホースと、
　スプレー本体であって、
　　　可撓性ホースの一端部に接続され、
　　　噴出ノズルと、
　　　所定量の化粧水を収納するカップと、
　　　スプレー本体を保持した手先で操作される操作部であって、この操作によって、可撓性ホース（Ｐ）からの炭酸ガスを開閉する操作部とを備え、
　　　操作部の操作によって開いている状態で、可撓性ホースから導かれた炭酸ガスを噴出ノズルから噴出させてカップ内の化粧水とともに、炭酸混合化粧水を霧状に噴射するスプレー本体と、
　炭酸ガス供給用ボンベと、
　着脱自在に嵌合する下側筒体からなり、取替え可能に炭酸ガス供給用ボンベを収納する直立型下側筒体と、
　回転操作可能である調整用摘子とを含み、
　調整用摘子の操作によって、炭酸ガスの噴出調整をする美顔器。」
＜相違点１＞
　本件発明１は、「着脱自在に嵌合する上側筒体および下側筒体からなり、取替え可能に炭酸ガス供給用ボンベを隠蔽して収納する直立型ボンベ収納ボックスと、前記ボンベ収納ボックスの外方から回転操作可能である調整用摘子とを含」むのに対し、甲１発明では、下側筒体に対して着脱自在に嵌合する上側筒体を有しないため、「取替え可能に炭酸ガス供給用ボンベを隠蔽して収納する直立型ボンベ収納ボックス」を含まず、また、調整用摘子も「ボンベ収納ボックスの外方から回転操作可能」ではない点。
＜相違点２＞
　本件発明１は、「上側筒体は、前記炭酸ガス供給用ボンベからの炭酸ガス流通路に臨んで、軸線方向に変位する弁杆と、弁杆に、弁杆の前記軸線方向にバネ力を与えるバネとを含み、調整用摘子の操作によって、バネのバネ力が作用している弁杆を、弁杆の前記軸線方向に変位させて、炭酸ガス供給用ボンベからの噴出ガスを導くガス流通路を介する炭酸ガスの噴出調整をし、可撓性ホースの他端部に、この噴出調整された炭酸ガスが供給される」のに対し、甲１発明は、上側筒体を有しないため、上側筒体に含まれる「前記炭酸ガス供給用ボンベからの炭酸ガス流通路に臨んで、軸線方向に変位する弁杆」を具備するものではなく、また、調整用摘子の操作による炭酸ガスの噴出調整も、「バネのバネ力が作用している弁杆を、弁杆の前記軸線方向に変位させて、炭酸ガス供給用ボンベからの噴出ガスを導くガス流通路を介する」調整ではなく、さらに、この調整後に「可撓性ホースの他端部に、この噴出調整された炭酸ガスが供給される」ものでもない点。
（２）判断
　相違点１について検討する。
ア）甲第２号証には、上記甲２発明が記載されているところ、甲２発明の燃性ガスボンベ４は、燃性ガスが封入されたボンベであり、また、そのガスを比較的微細な火炎を必要とする用途に使用されるトーチへと供給するためのボンベであるから、甲１発明の「炭酸ガス供給用ボンベＢ」とは、封入されるガスの種類においても、使用目的においても、使用される技術分野においても、何らの共通性が見当たらない。
　また、甲第３号証に記載の甲３発明をみても、同様に、甲３発明の燃性ガスボンベ３０と甲１発明の「炭酸ガス供給用ボンベＢ」とは、封入されるガスの種類においても、使用目的においても、使用される技術分野においても、何らの共通性が見当たらない。
イ）甲第１号証段落【００１０】には、「後部の炭酸ガス供給用ボンベＢ及び化粧水収納カップ９を遮蔽する前板２３とで構成されたデスクトップ器体Ｘ」と、炭酸ガス供給用ボンベＢを前板２３により簡易的に遮蔽することが記載されてはいるが、下側筒体と嵌合する上側筒体を用いて炭酸ガス供給用ボンベを完全遮蔽したいという技術課題（以下「課題Ａ」という。）については、甲第１号証に記載も示唆もない。
　また、甲第１号証段落【００１０】には、「更にデスクトップ器体Ｘの前板２３には炭酸混合化粧水の噴出調整用摘子１６を備えている。」と、デスクトップ器体Ｘの前板２３において炭酸混合化粧水の噴出調整用摘子１６を回転操作する旨の示唆はあるが、噴出調整用摘子１６を、上側筒体および下側筒体からなる収納ボックスの外方から回転操作したいという技術課題（以下「課題Ｂ」という。）については、甲第１号証に記載も示唆もない。
　そして、上記の課題Ａ及び課題Ｂが、美顔器に関する技術分野における一般的な技術課題であったともいえない。
ウ）そうすると、甲１発明と甲２発明とは、各発明の属する技術分野においても、各発明が備えるガスボンベの使用目的においても共通するところがないのであるから、両発明を組み合わせるべき動機付けはなく、両発明に基づいて当業者が相違点１に係る本件発明１の特定事項を容易に想到できたとはいえない。
　また、仮に、甲２発明を“ボンベによるガスの供給”という上位概念の技術に関する発明と把握できたとしても、甲第１号証には、上記の課題Ａ及び課題Ｂについての記載、即ち、甲１発明に対する甲２発明の組み合わせを動機付ける記載はないのであるから、両発明に基づいて当業者が相違点１に係る本件発明１の特定事項を容易に想到できたとはいえない。
エ）同様に、甲１発明及び甲３発明に基づいて当業者が相違点１に係る本件発明１の特定事項を容易に想到できたともいえない。
（３）まとめ
　したがって、相違点２について検討するまでもなく、本件発明１は、甲１発明及び甲２発明に基づいて当業者が容易に発明することができたものであるとも、甲１発明及び甲３発明に基いて当業者が容易に発明をすることができたものであるともいえない。
４−２　本件発明２、３、５〜７について
　本件発明２、３、５〜７は、本件発明１の発明特定事項をすべて含み、さらに、他の発明特定事項を付加したものに相当する発明である。
　そうすると、本件発明２、３、５〜７は、上記「４−１　本件発明１について」において示した理由と同様の理由により、甲１発明及び甲２発明に基いて当業者が容易に発明をすることができたものであるとも、甲１発明及び甲３発明に基いて当業者が容易に発明をすることができたものであるともいえない。
４−３　本件発明４、８について
　甲第４号証及び甲第５号証にも、相違点１における本件発明１に係る事項、即ち、「着脱自在に嵌合する上側筒体および下側筒体からなり、取替え可能に炭酸ガス供給用ボンベを隠蔽して収納する直立型ボンベ収納ボックスと、前記ボンベ収納ボックスの外方から回転操作可能である調整用摘子とを含」む美顔器は記載されていない。
　よって、本件発明４は、上記「４−１　本件発明１について」において示した理由と同様の理由により、甲１発明、甲２発明及び甲第４号証に記載された発明に基いて当業者が容易に発明をすることができたものであるとも、甲１発明、甲３発明及び甲第４号証に記載された発明に基いて当業者が容易に発明をすることができたものであるともいえない。
　同様に、本件発明８は、甲１発明、甲２発明及び甲第５号証に記載された発明に基いて当業者が容易に発明をすることができたものであるとも、甲１発明、甲３発明及び甲第５号証に記載された発明に基いて当業者が容易に発明をすることができたものであるともいえない。
５　当審の判断（理由３について）
　理由３は、要するに、訂正前の請求項１〜８に係る発明は、「『弁杆（１５）にバネ力を与えるバネ（１６）』『調整用摘子（１７）の操作によって、バネ（１６）のバネ力が作用している弁杆（１５）を変位させて』の記載は、『弁杆（１５）』と『バネ（１６）』との技術的関係が不明であり、発明として明確でない。」（異議申立書第５頁）というものであり、異議申し人は、平成２８年６月１５日付け意見書においても、「『弁杆（１５）』に対して『バネ（１６）』のバネ力がどのように作用し、『バネ（１６）』がどのような機能を有するか不明である」などと主張する。
　そこで、訂正後の特許請求の範囲の記載を検討するに、請求項１には、「（ｆ２）弁杆（１５）の前記軸線方向にバネ力を与えるバネ（１６）」、「（ｇ）調整用摘子（１７）の操作によって、バネ（１６）のバネ力が作用している弁杆（１５）を、弁杆（１５）の前記軸線方向に変位させて、・・・」と記載されている。
　請求項１におけるこのような記載に接した当業者であれば、本件発明１において、バネ（１６）のバネ力には、弁杆（１５）を、弁杆（１５）の軸線方向にバネ力を与えるように付勢するという作用があること、また、バネ（１６）は、そのバネ力を用いて弁杆（１５）を、弁杆（１５）の軸線方向に付勢するという機能を有していることを、普通に理解できるところである。
　そうすると、本件発明１は、「弁杆（１５）」と「バネ（１６）」との技術的関係が不明とはいえず、同様に、本件発明２〜８も「弁杆（１５）」と「バネ（１６）」との技術的関係が不明とはいえない。
　よって、訂正後の特許請求の範囲の記載は、特許法第３６条第６項第２号に規定する要件を満たしていない、とはいえない。
６　むすび
　以上のとおりであるから、取消理由によっては、本件発明１〜８についての特許を取り消すことはできない。
　また、他に本件発明１〜８についての特許を取り消すべき理由を発見しない。
　よって、結論のとおり決定する。
【異議決定日】
平成２８年７月４日（２０１６．７．４）
【訂正の要旨】
審決（決定）の【理由】欄参照。
（５７）【特許請求の範囲】
　【請求項１】
　（ａ）炭酸ガスを導く可撓性ホース（Ｐ）と、
　（ｂ）スプレー本体（Ｓ）であって、
　（ｂ１）可撓性ホース（Ｐ）の一端部に接続され、
　（ｂ２）噴出ノズル（３１）と、
　（ｂ３）所定量の化粧水を収納するカップ（２９）と、
　（ｂ４）スプレー本体（Ｓ）を保持した手先（Ｈ）で操作される操作部（３０）であって、この操作によって、可撓性ホース（Ｐ）からの炭酸ガスを開閉する操作部（３０）とを備え、
　（ｂ５）操作部（３０）の操作によって開いている状態で、可撓性ホース（Ｐ）から導かれた炭酸ガスを噴出ノズル（３１）から噴出させてカップ（２９）内の化粧水とともに、炭酸混合化粧水を霧状に噴射するスプレー本体（Ｓ）と、
　（ｃ）炭酸ガス供給用ボンベ（Ｂ）と、
　（ｄ）着脱自在に嵌合する上側筒体（１）および下側筒体（２）からなり、取替え可能に炭酸ガス供給用ボンベ（Ｂ）を隠蔽して収納する直立型ボンベ収納ボックス（Ｘ）と、
　（ｅ）前記ボンベ収納ボックス（Ｘ）の外方から回転操作可能である調整用摘子（１７）と
を含み、
　（ｆ）
上側筒体（１）は、
　（
ｆ１
んで、軸線方向に変位する
　（
ｆ２
弁杆（１５）の前記軸線方向に
　（
ｇ
弁杆（１５）の前記軸線方向に
可撓性ホース（Ｐ）の他端部に、この噴出調整された炭酸ガスが供給されることを特徴とする美顔器。
　【請求項２】
　調整用摘子（１７）は、ボンベ収納ボックス（Ｘ）に設けられることを特徴とする請求項１記載の美顔器。
　【請求項３】
　調整用摘子（１７）は、
一方向および反対方向に水平回転可能な円形であり、
ボンベ収納ボックス（Ｘ）の上方で操作可能であることを特徴とする請求項２記載の美顔器。
　【請求項４】
　ボンベ収納ボックス（Ｘ）は、直立型であり、その軸直角断面が円形であり、
円形調整用摘子（１７）の外径は、ボンベ収納ボックス（Ｘ）の上部面（１ｂ）の外径とほぼ等しいことを特徴とする請求項３記載の美顔器。
　【請求項５】
　ボンベ収納ボックス（Ｘ）の上部面（１ｂ）よりも下方で、かつ炭酸ガス供給用ボンベ（Ｂ）よりも上方で、ボンベ収納ボックス（Ｘ）内で、調整用摘子（１７）の操作による炭酸ガスの噴出調整をし、
ボンベ収納ボックス（Ｘ）の上部面（１ｂ）よりも下方で、かつ炭酸ガス供給用ボンベ（Ｂ）よりも上方で、前記噴出調整された炭酸ガスは、ボンベ収納ボックス（Ｘ）外へ、可撓性ホース（Ｐ）の前記他端部から供給されることを特徴とする請求項３または４記載の美顔器。
　【請求項６】
　調整用摘子（１７）の操作によって、炭酸ガス供給用ボンベ（Ｂ）からの前記ガス流通路を介する炭酸ガスの噴出、停止もすることを特徴とする請求項１〜５のうちの１つに記載の美顔器。
　【請求項７】
　操作部（３０）は、レバー形式であり、
スプレー本体（Ｓ）は、操作部（３０）の引き付け操作によって開いている状態とすることを特徴とする請求項１〜６のうちの１つに記載の美顔器。
　【請求項８】
　操作部（３０）は、押ボタン形式であり、
スプレー本体（Ｓ）は、操作部（３０）の操作によって開いている状態とすることを特徴とする請求項１〜６のうちの１つに記載の美顔器。